(57)【要約】【課題】きれいなシルエットをもった袖山を形成し、かつ、通気性が良好な夏物スーツを提供する。【解決手段】袖裏の裏地のない夏物スーツ１０において、、第一に、肩パット２６の芯材２４を無膜ポリウレタンフォームとし、この芯材２４を、２０〜３０メッシュでからめ織りした布で包んでなり、第二に、垂れ綿の芯材１７を、２０〜３０メッシュでからめ織りした布をバイアス状に配置し、この芯材をバイアス状に配置した薄布１８で包み込んでなる構成としたものである。また、上記肩パット２６は、肩にのる部分から肩の両側および袖刳りに向けて次第に薄く成形し、垂れ綿の芯材１７は、その中心部分で複数枚重ね合わせ、周辺に向けて次第に枚数を減らしてなる。【選択図】図１
2007131972.tif 000002
【特許請求の範囲】
【請求項１】
袖裏も含めて裏地のない夏物スーツにおいて、肩パットを下記１の構成とし、袖山部の垂れ綿を下記２の構成としたことを特徴とする夏物スーツ。
記
１  芯材(２４)を無膜ポリウレタンフォームとし、この芯材(２４)を、２０〜３０メッシュでからめ織りした布(２５)で包んでなる。
２  芯材（１７）を、２０〜３０メッシュでからめ織りした布をバイアス状に配置し、芯材（１７）を、バイアス状に配置した薄布（１８）で包み込んでなる。
【請求項２】
上記肩パット（２６）は、肩にのる部分から肩の両側および袖刳りに向けて次第に薄く成形し、垂れ綿の芯材（１７）は、その中心部分で複数枚重ね合わせ、周辺に向けて次第に枚数を減らしてなることを特徴とする請求項１に記載の夏物スーツ。
【請求項３】
上記肩パット（２６）の芯材（２４）を包む布と垂れ綿の芯材（１７）は、経糸を綿１００％、緯糸をウールとレーヨンとの混紡糸としたことを特徴とする請求項１又は２に記載の夏物スーツ。
【発明の詳細な説明】
【技術分野】
【０００１】
この発明は裏地のない夏物スーツに関する。
【背景技術】
【０００２】
夏物スーツの袖山の形状が滑らかな形状を画くようした先行技術として特許文献１，２に挙げるものがある。また、図６に示すように一般的なスーツ１０の袖１１と袖山１２の形状は、肩パット３０や垂れ綿１４は袖の裏地１３に包まれて外部から見えない状態である。
【０００３】
また、外部から見えない状態であることもあって、従来の垂れ綿１４は図５に示すように２５〜３０メッシュ程度に織製した芯材１５を、袖山の中心では二枚重ねにし、周辺を一枚にして、さらにこれにフェルト１６を重ねたものを裸のまま用いていた。
【０００４】
また、肩パット３０は図８に示す如く、強撚りの糸を３０メッシュ程度に織製した芯材３１の上下にフェルト３２を重ね表面に薄布３３を被せミシンで押えたものを採用してきた。
【０００５】
【特許文献１】特開平７−１５７９０７号公報（要約および選択図）
【０００６】
【特許文献２】特開平９−２１７２１５号公報（要約および選択図）
【発明の開示】
【発明が解決しようとする課題】
【０００７】
上記二つの先行技術は、いずれも夏物スーツにおいて肩パットの縁がスーツの表に現れるのを防止するものである。
【０００８】
一方、地球温暖化現象のもとで夏物衣料を可能な限り薄くし、かぜ通しのよいものとする傾向が強く、袖全体に裏地のないスーツが求められており、これに応えて袖の裏地のないスーツを試作したが、肩パットや垂れ綿のシルエットがスーツの表面に現れて見栄えのわるいものとなった。
【０００９】
また、肩パットとして使われてきた従来の素材では通気性が悪く、熱がこもって夏物衣料として好ましいものとはいえなかった。
【００１０】
上記状況に鑑みこの発明は、袖の裏地をなくして従来の夏ものスーツより一層通気性をよくして清涼感を高め、かつ、袖山の外形形状をなめらかなものとして高級感あふれる夏物スーツを提供することを課題とする。
【課題を解決するための手段】
【００１１】
上記課題を解決するためにこの発明は、第一に、肩パットの芯材を無膜ポリウレタンフォームとし、この芯材を、２０〜３０メッシュでからめ織りした布で包んでなり、第二に、垂れ綿の芯材を、２０〜３０メッシュでからめ織りした布をバイアス状に配置し、この芯材をバイアス状に配置した薄布で包み込んでなる構成としたものである。また、上記肩パットは、肩にのる部分から肩の両側および袖刳りに向けて次第に薄く成形し、垂れ綿の芯材は、その中心部分で複数枚重ね合わせ、周辺に向けて次第に枚数を減らしてなる。
【発明の効果】
【００１２】
上記の如く構成するこの発明によれば、肩パットに上記素材を採用したので熱がこもらず清涼感がよくなり、垂れ綿の芯材を上記の如く特定して、この芯材を薄布で包み込むようにしたので、シルエットが滑らかになり高級感が得られ、商品をハンガーに掛けて陳列したときも表に皺が現れず丁寧な縫製による夏物スーツとしての評価を得られるようになった。
【発明を実施するための最良の形態】
【００１３】
次にこの発明の実施の形態を、図１乃至図４を参照しながら説明する。図２に示すように、本発明では袖の裏地がなく、肩パット２６は、図４に示すように、芯材２４を無膜ポリウレタンフォームとし、この芯材２４を、経糸を綿１００％、緯糸をウールとレーヨンとの混紡糸として、２０〜３０メッシュでからめ織りした布２５で包んでいる。
【００１４】
ここで、からめ織りとは、経糸を二本宛密にし、その経糸交差させ、それに緯糸を打ち込んで織製したものである。
【００１５】
上記肩パット２６は、図４（ｂ）に示すように、無膜ポリウレタンフォームの芯材２４の縁が一番内側にあり、これを包む片面の布２５ｂの縁がその外側に、他面の布２５ａの縁がさらに外側になるようにしている。
【００１６】
上記無膜ポリウレタンフォームの芯材２４は、図４（ｂ）のように肩にのる部分から肩の両側および袖刳り部分に向けて次第に薄く成形し、公知の無膜処理を施して骨格のみを残したもので、１インチ当りのセルの数が１３〜２０個（ＪＩＳＫ６４００）あるものが実用的である。
【００１７】
袖山１２に挿入される垂れ綿１４は図１に示すように、経糸を綿１００％、緯糸をウールとレーヨンとの混紡糸を用いて２０〜３０メッシュにからめ織りした布を芯材１７とし、中心部分を二枚重ね１７ａ、１７ｂにし、周辺を一枚１７ｂにし、この芯材１７をローンスレーキ１８で包み込むように縫製し、これを袖山１２に縫い合わせている。なお、上記垂れ綿が袖山に縫いつけられた状態を滑らかにするために、上記芯材１７、ローンスレーキ１８とも織目がバイアス状に配置している。
【００１８】
上記実施例では垂れ綿１４の芯材１７は二枚を重ねただけであるが、三枚またはそれ以上重ねても良いが、その場合中心部分から周辺に向けて順に重ね枚数を少なくして段が付かずなだらかな傾斜にする。
【００１９】
上袖２０と下袖２１の生地を縫い合わせた縁をバイアステープで押え縫いし、袖口２３のカフス側の縫い合わせ部分を折り返し縫い合わせる。このような縫い方にすることによって着衣の際の抵抗が少なくその部分の摩滅損傷を防止できる。
【産業上の利用可能性】
【００２０】
以上説明したようにこの発明によれば裏地のない夏物スーツでありながら袖山の部分のシルエットが滑らかで着衣状態、ハンガーに掛けて陳列した状態ともに高い技術で縫製されたものとして見られ、また、袖裏の裏地をなくし袖山の形成材を特定の素材とすることにより、より涼しく着衣することが出来るようになって省エネルギー効果とともに産業状利用価値の高いものとなる。
【図面の簡単な説明】
【００２１】
【図１】本発明に係る垂れ綿の部分剥ぎ取り平面図
【図２】同垂れ綿を縫い付けた状態の袖山部詳細図
【図３】同カフス側袖口（裏面）詳細図
【図４】同肩パットの（ａ）平面図、（ｂ）Ａ−Ａ断面図
【図５】従来の垂れ綿の平面図
【図６】従来の垂れ綿を縫い付けた状態の袖山部詳細図
【図７】従来のカフス側袖口（裏面）詳細図
【図８】従来の肩パットの平面図
【符号の説明】
【００２２】
１０  スーツ
１１  袖
１２  袖山
１３  裏地
１４  垂れ綿
１５  芯材（従来例の）
１６  フェルト（従来例の）
１７  芯材（本発明の）
１８  ローンスレーキ（薄布）
２０  上袖
２１  下袖
２２  バイアステープ
２３  袖口
２４  芯材（無膜ポリウレタンフォーム）
２５  布
２６  肩パット
【図１】
2007131972.tif 000003
【図２】
2007131972.tif 000004
【図３】
2007131972.tif 000005
【図４】
2007131972.tif 000006
【図５】
2007131972.tif 000007
【図６】
2007131972.tif 000008
【図７】
2007131972.tif 000009
【図８】
2007131972.tif 000010